(57)【要約】【課題】ＬＥＤチップの特性に適応したリフレクタを任意に選定することができ、しかも、製作が容易なＬＥＤユニットを提供する。【解決手段】ＬＥＤチップ２が実装された基板３と、この基板３に電気的に接続されたリード４ａ，４ｂと、前記ＬＥＤチップ２の周りを囲んで基板３上に配置されるすり鉢状のリフレクタ５と、このリフレクタ５の上に配置される透明ボード６とを備えるとともに、基板３、リード４ａ，４ｂ、リフレクタ５、および透明ボード６がモールド樹脂７でモールドされて一体化されている。【選択図】図１
2008078586.tif 000002
【特許請求の範囲】
【請求項１】
ＬＥＤチップが実装された基板と、この基板に電気的に接続されたリードと、前記ＬＥＤチップの周りを囲んで基板上に配置される逆截頭円錐面状のリフレクタと、このリフレクタの上に配置される透明ボードとを備えるとともに、前記基板、リード、リフレクタ、および透明ボードがモールド樹脂でモールドされて一体化されていることを特徴とするＬＥＤユニット。
【請求項２】
前記透明ボードはレンズ状に形成されていることを特徴とする請求項１記載のＬＥＤユニット。
【発明の詳細な説明】
【技術分野】
【０００１】
本発明は、発光ダイオード（ＬＥＤ）を光源とするＬＥＤユニットに関する。
【背景技術】
【０００２】
従来のこの種のＬＥＤユニットには、パッケージにすり鉢状の凹所を形成し、この凹所の内面を覆って光反射用のリフレクタを形成するとともに、凹所の底部にはリフレクタから一体的に延設された一対のリードを設け、各リードをパッケージの外部に引き出す一方、凹所内の各リードに発光ダイオードチップ（以下、ＬＥＤチップという）を接続することで、各リードを経由してＬＥＤチップに電力供給を行えるようにしたものが提案されている（例えば、特許文献１，２参照）。
【特許文献１】特開２００３−１５２２２８号公報
【特許文献２】特開平７−７１８５号公報
【発明の開示】
【発明が解決しようとする課題】
【０００３】
ところで、上記の特許文献１，２に記載されているようなＬＥＤユニットにおいては、凹所の内面を覆うリフレクタが光沢銀メッキなどを施すことにより形成されており、かつ、一対のリードはリフレクタと一体に形成された構成となっている。このため、実装されるＬＥＤチップの光学的な特性に応じて、リフレクタの開口径や反射面の処理を自由に選定することが難しいという課題がある。
【０００４】
すなわち、ＬＥＤチップの種類によって、発光色に違いがあるだけでなく、発光強度が異なったり、放射角度に広狭の差があるので、このようなＬＥＤチップの特性に応じてリフレクタの傾斜角度や開口径、反射特性を適宜選定することが好ましい。しかし、従来のものでは、リフレクタが光沢銀メッキなどを施すことにより一律に形成され、かつ、リードがフレクタと一体に形成されているので、実装するＬＥＤチップの特性に応じてリフレクタの傾斜角度や開口径、反射面を任意に選定することが困難である。
【０００５】
本発明は、上記の課題を解決するためになされたもので、ＬＥＤチップの特性に適応したリフレクタを任意に選定することができ、しかも、製作が容易なＬＥＤユニットを提供することを目的とする。
【課題を解決するための手段】
【０００６】
上記の目的を達成するために、請求項１記載に係る本発明のＬＥＤユニットは、ＬＥＤチップが実装された基板と、この基板に電気的に接続されたリードと、前記ＬＥＤチップの周りを囲んで基板上に配置される逆截頭円錐面状のリフレクタと、このリフレクタの上に配置される透明ボードとを備えるとともに、前記基板、リード、リフレクタ、および透明ボードがモールド樹脂でモールドされて一体化されていることを特徴としている。
【０００７】
また、請求項２記載の本発明のＬＥＤユニットは、請求項１記載の発明の構成において、前記透明ボードはレンズ状に形成されていることを特徴としている。
【発明の効果】
【０００８】
本発明によれば、リフレクタを予め基板やリードとは別部品として形成することができるので、実装されるＬＥＤチップの特性に応じて適切なリフレクタの傾斜角度や開口径、反射面の処理を任意に選定することが可能となる。しかも、基板、リード、リフレクタ、および透明ボードは、モールド樹脂でモールドすることで一体化されるため、容易かつ安価に製作することができる。
【０００９】
特に、透明ボードがレンズ状に形成されている場合には、別途、レンズを設ける必要がなく、コストダウンを図れるとともに、ＬＥＤチップから出射される光の発散角度や焦点距離等を自由に調整できる利点がある。
【発明を実施するための最良の形態】
【００１０】
以下、本発明の実施の形態について、図面を参照して詳しく説明する。図１は本発明の実施の形態におけるＬＥＤユニットを示す断面図、図２は図１のＬＥＤユニットの製作時の状態の要部を示す斜視図である。
【００１１】
この実施の形態のＬＥＤユニット１は、ＬＥＤチップ２と、このＬＥＤチップ２が実装された基板３と、この基板３に電気的に接続されたリード４ａ，４ｂと、ＬＥＤチップ２の周りを囲んで基板３上に配置される逆截頭円錐面状のリフレクタ５と、このリフレクタ５の上に配置される透明ボード６とを備える。そして、基板３、リード４ａ，４ｂ、リフレクタ５、および透明ボード６がモールド樹脂７でモールドされて一体化されている。
【００１２】
上記のＬＥＤチップ２は、セラミック等からなる基板３にフリップチップ実装されるとともに、基板３に形成されたビアホール７ａ，７ｂを介して各リード４ａ，４ｂに電気的に接続されている。また、リフレクタ５は、樹脂製あるいは金属製のベースに銀、銅等の反射特性の優れた金属を蒸着あるいはめっき処理することにより構成されている。透明ボード６は、アクリル等の樹脂あるいはガラス板をレンズ状に形成して構成されている。また、各リード４ａ，４ｂは、モールド樹脂７内を貫通して外部に引き出されている。
【００１３】
このＬＥＤユニット１を製作する際には、基板３にＬＥＤチップ２をフリップチップ実装し、ＬＥＤチップ２を基板３に形成されたビアホール７ａ，７ｂを介して各リード４ａ，４ｂに電気的に接続する。次いで、ＬＥＤチップ２の周りを囲んで基板３上にリフレクタ５を配置し、さらに、リフレクタ５の上にレンズ状に形成された透明ボード６を載置する。
【００１４】
この状態で基板３、リード４ａ，４ｂ、リフレクタ５、および透明ボード６をモールド樹脂７でモールドして一体化する。そして、モールド樹脂７から外部に引き出されている各リード４ａ，４ｂを図示しない配線基板３の配線パターンに接続する。これにより、ＬＥＤチップ２がリード４ａ，４ｂを介して図示しない配線基板３の配線パターンに電気的に接続される。
【００１５】
このように、この実施の形態のＬＥＤユニットは、リフレクタ５を予め基板３やリード４ａ，４ｂとは別部品として形成することができるので、搭載されるＬＥＤチップ２の特性に応じて適切なリフレクタ５の傾斜角度や開口径、さらに反射面の処理を任意に選定することが可能となる。しかも、基板３、リード４ａ，４ｂ、リフレクタ５、および透明ボード６は、モールド樹脂７でモールドすることで一体化されるため、ＬＥＤユニットを容易かつ安価に製作することができる。
【００１６】
特に、この実施の形態では、透明ボード６がレンズ状に形成されているので、これ自体がレンズ作用を発揮でき、別途、レンズを設ける必要がないので、コストダウンを図れるとともに、ＬＥＤチップ２から出射される光の発散角度や焦点距離等を自由に調整できる利点が得られる。
【図面の簡単な説明】
【００１７】
【図１】本発明の実施の形態１におけるＬＥＤユニットを示す断面図である。
【図２】図１のＬＥＤユニットの製作時の状態の要部を示す斜視図である。
【符号の説明】
【００１８】
１    ＬＥＤユニット
２    ＬＥＤチップ
３    基板
４ａ，４ｂ    リード
５    リフレクタ
６    透明ボード
７    モールド樹脂
【図１】
2008078586.tif 000003
【図２】
2008078586.tif 000004